(57)【要約】  １つの布ロール（１１）が、同軸に整列され、互いに間隔を置いて配置され、前記布ロールの幅（Ｗｒ）よりも短い全長（Ｌ）を有する、少なくとも２個のリールの周りに１枚の布（４）を巻くことによって製造される。【選択図】図１【特許請求の範囲】
【請求項１】
１枚の布（４）がリール（Ｔ）の周りに巻かれた１つのロール（１１）を提供する布ロール（１１）の製造方法であって、
前記１枚の布（４）は少なくとも２個の前記リールに巻かれ、
前記複数のリールは同軸に整列され、互いに間隔が空けられており、
前記少なくとも２個のリールの全長（Ｌ）は、前記布ロール（１１）の幅（Ｗｒ）よりも短いことを特徴とする布ロール（１１）の製造方法。
【請求項２】
請求項１において、
前記布ロール（１１）の２つの縁（９）を支持するために、少なくとも前記ロール幅の両端面に前記リールが配置されていることを特徴とする布ロールの製造方法。
【請求項３】
請求項１又は２において、
前記各リールの長さ（Ｌｉ）はＬ１、…、Ｌｎであり、
下記の式で示される前記各リールの長さの合計は、
【数１】
2022500325.tif 000005
下記の式で示されるとおり、前記布ロール（１１）の幅（Ｗｒ）よりも小さいことを特徴とする布ロールの製造方法。
【数２】
2022500325.tif 000006
【請求項４】
請求項３において、
下記の式で示される前記各リールの長さの合計は、
前記ロールの幅（Ｗｒ）の少なくとも１３％、好ましくは少なくとも４０％である、ことを特徴とする布ロールの製造方法。
【数３】
2022500325.tif 000007
【請求項５】
請求項１〜４のいずれか１項において、
前記１枚の布（４）の前記端面（７）がその幅にわたって引っ張られ、前記少なくとも２個のリールに取り付けられる開始ステップを含む、ことを特徴とする布ロールの製造方法。
【請求項６】
請求項１〜４のいずれか１項において、
前記布（４）の前記端面（７）がその幅にわたって引っ張られ、少なくとも１回転の間前記リールに手動で巻かれる開始ステップを含む、ことを特徴とする布ロールの製造方法。
【請求項７】
請求項２〜６のいずれか１項において、
さらに、前記布ロール（１１）の前記幅（Ｗｒ）に対して、中央に配置された１つのリール（２）を含む、ことを特徴とする布ロールの製造方法。
【請求項８】
請求項１〜７のいずれか１項において、以下のステップを含むことを特徴とする布ロールの製造方法。
１つの軸（１４）を選択し、
少なくとも２個のリール（１〜３）を前記軸上に配置し、前記各リールは互いに離間され、前記軸はリールの内部にあるような状態とし、
選択した位置で前記軸（１４）に前記複数のリール（１〜３）を保持し、
１枚の布（４）を前記複数のリール及び前記軸に巻き付けて、１つの布ロール（１１）を生成し、
前記軸（１４）を前記リールから取り外し、前記複数のリールが前記１つの布ロール（１１）内に保持されるようにする。
【請求項９】
請求項８において、
前記軸の軸線に対して半径方向に拡張して、前記複数のリール（１〜３）を必要な位置に一時的に保持することができる複数の要素を有する、ことを特徴とする布ロールの製造方法。
【請求項１０】
請求項９において、
前記軸が空気圧で作動する軸であり、前記複数の要素が空気圧の作用により膨張する、ことを特徴とする布ロールの製造方法。
【請求項１１】
少なくとも２個のリールを含む１つの布ロール（１１）であって、
布が前記各リールの周りに巻かれており、
前記各リールは同軸に整列され、互いに離間され、前記少なくとも２個のリールは、前記布ロールの幅（Ｗｒ）よりも短い全長Ｌを有することを特徴とする布ロール。
【請求項１２】
前記各リールは、前記布ロール（１１）の両端面（９）を支持するために、少なくとも前記ロール幅の両端部に配置されていることを特徴とする布ロール。
【請求項１３】
請求項１１又は１２において、
前記各リールの長さＬｉをＬ１、Ｌ２、Ｌｎとしたとき、
下記の式で示される前記各リールの長さの合計は、
【数４】
2022500325.tif 000008
下記の式で示されるとおり、前記布ロール（１１）の幅（Ｗｒ）よりも小さいことを特徴とする布ロールの製造方法。
【数５】
2022500325.tif 000009
【請求項１４】
請求項１３において、
下記の式で示される前記各リールの長さの合計は、
前記ロールの幅（Ｗｒ）の少なくとも１３％、好ましくは少なくとも４０％である、ことを特徴とする布ロールの製造方法。
【数６】
2022500325.tif 000010
【請求項１５】
請求項１１〜１４のいずれか１項において、
前記少なくとも２個のリールと接触している前記布（４）の端面（７）は、その幅方向に引っ張られ、前記少なくとも２個のリールに取り付けられていることを特徴とする布ロール（１１）。
【請求項１６】
請求項１５おいて、
前記布（４）が両面粘着テープ（１４）で前記各リールに取り付けられていることを特徴とする布ロール（１１）。
【請求項１７】
請求項１２〜１６のいずれか１項において、
さらに、前記布ロール（１１）の前記幅（Ｗｒ）に対して中央に配置された１個のリールを含むことを特徴とする布ロール（１１）。
【請求項１８】
１つの布ロール（１１）を製造するプロセスに、複数のリールを使用するリールの使用方法。
【請求項１９】
請求項１１〜１７のいずれか１項において、
単一の布ロール（１１）が複数のリール（Ｌ）を含むことを特徴とする布ロール（１１）用のリールシステム。
【発明の詳細な説明】
【技術分野】
【０００１】
本発明は、布ロールを製造する方法、及びその製法で得られた布ロールに関する。より詳細には、本発明は、布の製造工程において布をリールに巻く方法に関する。
【背景技術】
【０００２】
布は通常、ロールとして保管及び輸送されるものであり、これらのロールでは、布が１個のリールに巻かれているか巻き付けられている。通常、このリールは、布ロールを支持するために、布の一方の端から他方の端まで延びたものが選択される。布の包装プロセスにおいて、様々な長さの巻き付けリールがある。このような巻き付けリールの長さは、そのリールに巻き付けられる布地の幅に応じて、７００ｍｍ〜２２００ｍｍの間で変更できる。
【発明の概要】
【発明が解決しようとする課題】
【０００３】
従って、既知の布包装工程では、異なる長さ（サイズ）の複数の布ロールが製造される。そのため、布ロールのあらゆるサイズ毎にそれに適したリールが必要であり、布地の幅に応じて使用できる、様々な長さの様々なリールを用意する必要がある。これらの既知の方法のさらなる問題は、これらのリールが通常は、段ボール又はプラスチックでできており、このようなリールを使用すると、布ロールの重量にリールの重量が追加されることである。さらなる問題は、布がこれらのリールから巻き戻された後、巻き付けリールを再利用できないことである。従って、使用済みリールは、産業廃棄物になるか、あるいは、可能ならば（プラスチックの再生処理等の）材料のリサイクルに送られる。
【０００４】
従って、上記の諸問題を解決し、布ロールを製造する新しい方法を提供する必要がある。
上記の問題を解決することが本発明の１つの目的である。
【課題を解決するための手段】
【０００５】
そのような目的は、本願の請求項１に記載の布ロールの製造方法の発明によって達成される。
すなわち、本発明の方法は、１枚の布がリールの周りに巻かれた（つまり、巻き付けられた）ロールを提供する１つの布ロールを製造する方法を提供するものである。１枚の布は少なくとも２個のリールの周りに巻かれ、これらのリールは同軸に整列され互いに間隔を置いて配置されており、少なくとも２個のリールは、布ロールの幅よりも短い全長を有していることを特徴としている。
本発明のさらなる目的は、請求項８に記載の１つの布ロールの発明によって達成される。すなわち、この発明の布ロールは、同軸であるか、又は実質的に同軸に整列され、互いに間隔を置いて配置された少なくとも２個のリールを含むことを特徴とする。
前述したように、１つの布ロール内において、従来技術では単一であったリールが、本発明によれば複数（少なくとも２個）のリールに置き換えられる。
本発明に適したリールの数は、少なくとも２個であり、この数はロールの幅、つまり従来技術で使用されていた１個のリールの長さ（この長さは、布の幅やロールの幅に対応している）に依存する。
【０００６】
本発明の一実施形態では、２個のリールが、布ロールの両端面を支持するために、少なくともロール幅の両端に配置される。これにより、布ロールの両端に支持がないことで布が容易に損傷する可能性をなくしている。
より具体的には、リールの外側のエッジは、約１０ｃｍだけ布ロールの端面からオフセットされている。すなわち、リールの外側のエッジ又は先端が、布ロールの端面から約１０ｃｍ離れている。このオフセットは外側方向、つまり、リールがロールから突き出ていても良く、あるいは、ロールの内側方向、つまり、リールの外側のエッジが布ロールの内側に収納されていても良い。
一つの実施形態では、さらに１個のリールが、布ロールの幅の中央に配置されている。この実施形態では、ロールの軸線の両端部（すなわち、両端面）に２個のリールがあり、さらに、これらの両端部のリールの間に、好ましくは布ロールの軸線の中央に配置された、１個のリールがある。
【０００７】
一般に、ｎ個のリール（例えば、３個のリール、ｎ＝１〜３）がある場合、このｎ個のリールの夫々の長さＬ１〜Ｌｎの合計（例えば、Ｌ１＋Ｌ２＋Ｌ３）は、布ロールの横方向の長さ、つまり、布ロールの幅Wよりも短くなる。上記の関係は、次の式で要約できる。ここで、Ｌｉは各リールの長さであり、ｎはリールの個数である。
【０００８】
【数１】
2022500325.tif 000002
【０００９】
ｎ個のリールの長ささＬ１〜Ｌｎの合計は、次の式に示すとおりである。つまり、ｎ個のリールの長さＬ１〜Ｌｎの合計は、布ロールの幅Ｗｒよりも短い。
【００１０】
【数２】
2022500325.tif 000003
【００１１】
一つの実施形態では、上記の式で表わされるｎ個のリールの長さＬ１〜Ｌｎの合計は、ロールの幅Ｗｒの少なくとも１３％、好ましくは、ロールの幅Ｗｒの少なくとも４０％である。好ましい１つの実施形態では、上記式で示したｎ個のリールの長さＬ１〜Ｌｎの合計の最大値は、布の幅Ｗｒの９１％、好ましくは６０％である。すなわち、一般的に、これらの関係は次の式の通りである。
【００１２】
【数３】
2022500325.tif 000004
【００１３】
一つの実施形態では、この方法は、布に折り目やしわが生ずるのを避けるようにして、布の端面が少なくとも２個のリールに取り付けられる開始ステップを含む。この開始ステップにおいて、布の端面は、これらのリールに取り付けられたままであり、これらのリールに対する布の最初の巻き付けの段階での変形を避けるために、この布の幅の全体にわたって張力がかけられていることが好ましい。同様の実施形態として、開始ステップにおいて、折り目やしわが形成されるのを避けるために、手で、これらのリールの周りに布を巻き付ける、好ましくは、張力をかけて巻き付けても良い。
【００１４】
これらのリールに適した素材は、この目的に使用される伝統的な素材である。好ましくは、これらのリールは、ボール紙（セルロース等の天然繊維）と人工又は合成材料（ＰＰ、ＰＥ、ＰＥＴ、ＡＢＳ、ゴム、ＰＵ等）でできている。これらの材料はその比重を考慮して選択され、軽い材料が好まれる。リールをより軽くするために、リールの表面には、多孔質構造、すなわち、複数の穴、又はリールの残りの部分に対して厚さが薄い複数の領域（すなわち、リールの部分）が存在していても良い。実施形態では、リール表面の穴又は薄い厚さの部分の総面積は、リールの表面の面積の４０％から８０％、好ましくは少なくとも６０％である。但し、この比率、は０％〜９０％の間としても良い。
【００１５】
好ましくは、巻き付けリールは、以下の特徴のうちの少なくとも１つを有する。
リールの内径は、４０〜５０ｍｍの間である。
リールの外径は４５〜５７ｍｍである。
リールの厚さの好ましい範囲は３〜４ｍｍである。
平均して、１個のリールの線重量はｃｍ当たり３グラム（３グラム／ｃｍ）である。
【００１６】
高品質の布ロールを提供するには、複数の短いリールを揃える必要があり、巻き付け中にこれらのリールは、布ロールと同じ円運動をする必要がある。そうでない場合、布ロールの表面に品質の欠陥が生じる。スムーズな巻き付けを行うために、複数の短いリールを配置するときに巻き付け装置が使用される。本発明の巻き付けに使用することができる、いくつかの市販製品が存在する。以下において、好ましい機器及び方法が開示され、請求項８〜１０に記載されている。
【００１７】
使用するリールの数は、布の幅によって異なる。本発明は、最低２個のリールを使用する。これは、例えば、７００ｍｍの幅を有する１枚の布の場合に、適切である。より大きな布、例えば、幅が２２００ｍｍの１枚の布では、３個又は４個のリールを使用するのが良い。従って、本発明の一実施形態では、使用されるリールの個数は２〜４の範囲である。
前述のように、本発明では、複数のリールが互いに間隔を置いて配置されている、すなわち、２個の隣接するリールが互いに間隔をおいて配置されている。隣接する２個のリール間の距離は、布の幅Ｗｒ、リールの個数ｎ、及び各リールの長さＬｉに依存する。
例えば、１枚の布の幅Ｗｒが１０００ｍｍ、各リールの長さが２００ｍｍで、２個のリールを使用し、各リールはロールの端面に±１０ｃｍだけ位置している実施形態を想定する。この実施形態では、ギャップ、すなわち隣接する２個のリール間の距離は、１０００−（２００＋２００）＝６００ｍｍである。リールエッジの布の側面に対する可能なオフセットは、リール間の距離から加算又は減算するために±２０ｃｍである。
布幅Ｗｒが２２００ｍｍであり、各リールの長さが２００ｍｍで、３個のリールが使用される実施形態では、総ギャップは、２２００−（２００×３）＝１６００ｍｍであり、隣接する２つのリール間の距離は１６００／２＝８００ｍｍである。
【００１８】
本発明は、従来技術に対して優れたいくつかの利点をもたらす。
本発明の第１の利点は、リールに巻かれる布の幅に応じて２個あるいはそれ以上のリールを使用できるので、長さの異なるリールの種類の数を減らすことができることである。長さの異なるリールの種類の数の削減により、様々な幅の布ロール用の複数種の巻き付けリールをストックするための在庫コストが大幅に削減される。
さらに、各リールが短いため、布ロールの重量は軽くなる。従って、パッケージ化された布ロールの輸送コストも削減できる。最後に、リールが短いほど廃棄物の量が少なくなるため、包装プロセスの品質を変えることなく、持続可能性（sustainability）が提供される。
【図面の簡単な説明】
【００１９】
【図１】従来のリールと置き換え可能な、本発明の実施例による３個のリールの上面図である。
【図２】図１に示した布の一部の上にある３個のリールの、透視図である。
【図３】オフセットした１個のリールを含む、１つの布ロールの部分斜視図である。
【図４】多孔質構造を有するリールの斜視図である。
【図５】空気圧位置合わせ軸に各リールを配置するステップを示す、概略図である。
【図６】空気圧位置合わせ軸に各リールを配置するステップを示す、概略図である。
【図７】空気圧位置合わせ軸に各リールを配置するステップを示す、概略図である。
【発明を実施するための形態】
【００２０】
以下、添付の概略図を参照して、本発明をさらに詳細に説明する。
図１を参照すると、１枚の幅Ｗｒの布に使用するのに適した、長さがＬＴの、従来例の１個のリールＴが概略的に示されている。このリールＴは、布地４の片側端面又は端面から延びることができる一体型リールであり、このリールＴの長さは、１枚の布地４の幅Ｗｒと同一又は実質的に同一である。
図１には、上記リールＴの下に、さらに、本発明によるリールシステムが示されている。図１に示すリールシステムは、３個のリール１〜３を有しており、各リールの夫々の長さはＬ１、Ｌ２、Ｌ３である。容易にわかるように、長さＬ１＋Ｌ２＋Ｌ３の合計は、リールＴの長さＬＴよりも短く、またＬ１＋Ｌ２＋Ｌ３の長さの合計は、中央に３個のリール１〜３を有する１つの布ロールとして巻かれる、布地４の幅Ｗｒよりも短かい。
【００２１】
図２は、本発明の製造方法の第１のステップにおける、布地４上に配置された図１のリール１〜３を概略的に示している。これらのリール１〜３は、布地４の両側面５、６と整列され、又は僅かにオフセットされた２個の外側のリール１、３と、布地４の幅の中央に配置された第３のリール２とを有するように整列される。好ましくは、布の長手方向の軸線Ａ−Ａに対するこれらのリールの配置は、この軸線に対して対称的又は実質的に対称的である。これらのリールは、布ロール１１の軸線Ｂ−Ｂに沿って、同軸又は実質的に同軸に整列されている（図２及び図３参照）。
使用するリールの数は、布の幅によって異なる。本発明では、最低２個のリールを提供する。図２に示されているように、本実施形態では、互いに間隔を置いて配置された３個のリール１、２及び３を有し、２個の隣接するリールは、リール１〜２に関してはＤ１の距離、リール２〜３に関してはＤ２の距離だけ間隔が空けられている。隣接する２個のリール間の距離は、布の幅Ｗｒ、リールの数ｎ、及びリールの長さＬｉに依存する。
【００２２】
上記のように、本発明による方法の好ましい実施形態では、1枚の布地４の前縁の端面７が複数のリール１〜３に取り付けられる１つのステップがある。これは、1枚の布の端面７を複数のリールに手動で巻き付けるか、あるいは、布の端面７をリール１〜３に取り付けることによって行われる。この目的のために、リール１〜３は、適切な取り付け手段、好ましくは両面粘着テープ１４の帯を備えている。
【００２３】
図２に示されている実施形態では、２個のリール１、３は、少なくともロール幅の端に配置されており、布ロールの端面を支持し、布が容易に損傷する可能性があるロールの端面に支持がないことを回避している。但し、図３に示すように、リール１、３のエッジ１０を、布ロール１１の端面９から、最大約１０ｃｍの値の距離８だけオフセットさせることも可能である。言い換えれば、リール１の外側のエッジ又は末端１０は、布ロールの端面又は側面９から約１０ｃｍの間隔を空けることができる。このオフセットは、外側に向かっている、つまり、図３に示すように、リールがロールから突き出ていても良く、逆に、リールがロール１１の内側に向かっている、すなわち、リール１の外側のエッジ１０が、ロール１１の内部に収容されていても良い。
【００２４】
このリールに適した材料は、段ボール又はセルロース繊維等の天然繊維や同様の材料、及びＰＰ、ＰＥ、ＰＥＴ、ＡＢＳ、ゴム、ＰＵ等の人工又は合成材料である。軽い材料が好ましい。リールを軽くするために、リールの表面を、図４に示すように多孔質構造にしても良い。すなわち、複数の穴、又はリールの残りの部分に対して薄い厚さを有する複数の領域（すなわちリールの減厚部分）が、リール上に存在しても良い。
図４の実施形態では、リール１には、複数の貫通穴１２が設けられている。これらの穴の総面積、又はリール表面の減厚部分の総面積は、リール１の外面１３の総面積の４０％〜８０％の範囲、好ましくは少なくとも６０％である。この比率は、０％〜９０％の範囲にすることができる。
【００２５】
他の実施形態によれば、本発明の方法には、最適な条件を保証するための１つの位置合わせ軸の使用、及び、各布ロールに使用される複数のリールの必要な位置決め及び間隔を容易にするための複数のリール間の同軸位置合わせを含むことができる。この位置合わせ軸は、軸がリール内に挿入されることを可能にするために、複数のリールの内径よりも小さい断面の直径を有している。
この位置合わせ軸の外面の少なくとも一部は、半径方向に拡張してその外径を大きくし、従って、各リールの内面と係合してそれらを必要な位置に保持するように構成されている。この位置合わせ軸は、好ましくは、その表面の少なくとも一部又は表面上に配置された要素が、この位置合わせ軸への加圧空気の供給により、要求された半径方向の拡張を提供することができる、空気圧軸である。
【００２６】
図５に示すように、１つの空気圧軸１４は、前記したように、リール１及び３を１つの布１１の２つの端面に配置するために、特に最も外側の２個のリール１及び３（軸１４の両端に各１個）を基準にして、リール１、２及び３を互いに同軸に離間して配置することを可能にする。
【００２７】
この空気圧軸１４は、その円周外面に長手方向の要素又はタブを備え、その長手方向軸線に平行に縦方向に延びる管状のような本体を有する（図５、図６参照）。好ましくは、この空気圧軸１４は、加圧された空気がその中空コア内に供給されると、この空気圧軸１４が半径方向に膨張することを可能にする手段を有する、円周壁を備えた気密の中空コアを有する。
【００２８】
従って、この空気圧軸１４の使用を含む方法は、複数のリール１〜３を取り付けるための、以下のステップを含んでいる。
−加圧された空気を使用して空気圧軸１４を加圧し、この軸を半径方向に拡張させる。好ましくは、空気圧軸１４の長手方向要素１５に対して半径方向の拡張を可能にする。それにより、予めこの軸に取り付けられていたリール１〜３を所定の位置でブロックする。
これに関して、リール１、２及び３と軸１４との間の円周方向の滑りは、軸１４の要素１５とリール１〜３との間の円周方向の接触によって最小化されることに留意されたい。同様に、リール１〜３の縦方向の動きは、各リールコアの剛性により防止される。
−布ロール製造のプロセスの準備ができている布巻き機の巻き付けモジュールに、空気圧軸１４を挿入する。
【００２９】
次に、この方法は、以下のステップに従って、布１１の巻き付けを含む第２の段階を有する。
−空気圧軸１４に取り付けられたリール１、２、及び３で、布１１の巻き付けを開始し、必要な長さの布１１を、５〜２５メートル／分の速度、推奨値は約１０メートル／分、で巻き付ける。
−巻き付け操作を終了し、空気圧軸１４の中空コアの内側から空気を排出する。
−ロール布１１のコアから（公称直径に復帰した）空気圧軸１４を引き抜く。
【００３０】
プロセスの最後に、各リールは布ロールのコアに残る。つまり、空気圧軸で選択された位置に保持される。これは、実際には、布ロールの幅に対して各リールに必要な位置である。各リールは同軸に整列されており、ロールの全体的な構造の剛性によって、この整列された間隔のある位置に保持される。
【符号の説明】
【００３１】
１    リール
２    リール
３    リール
４    布（布地）
５    布の側面
６    布の側面
７    布の端面
８    布ロールの端面からリールのエッジまでの距離
９    布ロールの端面
１０    リールのエッジ
１１    布ロール
１２    貫通穴
１３    リールの外面
１４    空気圧軸
１４    両面粘着テープ
１５    長手方向要素
Ｄ    隣接するリール間の距離
ＬＴ    リールの長さ
Ｔ    リール
Ｗｒ    布ロールの幅
【図１】
2022500325.tif 000011
【図２】
2022500325.tif 000012
【図３】
2022500325.tif 000013
【図４】
2022500325.tif 000014
【図５】
2022500325.tif 000015
【図６】
2022500325.tif 000016
【図７】
2022500325.tif 000017
【国際調査報告】
2022500325.tif 000018
2022500325.tif 000019
2022500325.tif 000020